(57)【要約】      （修正有）【課題】喫煙者間の空間を仕切って飛沫感染を防止しても、煙や飛沫を効率よく外部に排気することが可能であり、しかも、排気や火災対応のための装置の設置費用を軽減することが可能な喫煙ブースおよび間仕切りユニットを提供する。【解決手段】外部から区画された喫煙空間内に、天井排気装置と利用者間を間仕切り可能な間仕切りユニット３０を備えた喫煙ブース１０において、喫煙空間の天井部と間仕切りユニットとの間に、空間を仕切らない上部開口３５を設けた。【選択図】図４
0003231402.tif 000002
【実用新案登録請求の範囲】
【請求項１】
外部から区画された喫煙空間内に、利用者間を間仕切り可能な間仕切りユニットを備えた喫煙ブースにおいて、
前記喫煙空間の天井部と前記間仕切りユニットとの間に、空間を仕切らない開口を設けたことを特徴とする喫煙ブース。
【請求項２】
前記間仕切りユニットは、前記喫煙空間の床部に立設される一対の支持部材と、両支持部材の間に設けられた仕切り板と、を備えたことを特徴とする請求項１に記載の喫煙ブース。
【請求項３】
前記喫煙空間の床部と前記間仕切りユニットとの間に、空間を仕切らない開口を設けたことを特徴とする請求項１または２に記載の喫煙ブース。
【請求項４】
前記間仕切りユニットは、前記喫煙ブースとは別体であることを特徴とする請求項１，２または３に記載の喫煙ブース。
【請求項５】
前記天井部に排気装置を設けたことを特徴とする請求項１，２，３または４に記載の喫煙ブース。
【請求項６】
前記天井部に火災対応装置を設けたことを特徴とする請求項１，２，３，４または５に記載の喫煙ブース。
【請求項７】
前記喫煙ブースは、間仕切りユニットにより仕切られた区画ごとに、利用者の出入口を開閉可能な扉を備えることを特徴とする請求項１，２，３，４，５または６に記載の喫煙ブース。
【請求項８】
請求項１，２，３，４，５，６または７に記載した間仕切りユニット。
【考案の詳細な説明】
【技術分野】
【０００１】
本考案は、喫煙ブースおよび間仕切りユニットに関する。
【背景技術】
【０００２】
従来の喫煙ブースとして、例えば特許文献１に記載されたものが知られている。すなわち、屋内の床面上に直方形態の骨組構造からなる喫煙室において、骨組構造の上部には天板が設置され、中央に吸気口を設けた天井部が形成され、天井部と透明仕切壁で囲まれた骨組によって喫煙空間が形成されていた。喫煙空間内には、喫煙用の灰皿の他、小型テーブル、椅子等を設置することができる。
【０００３】
前記骨組の正面中央は開口されて、人の出入りが自由な扉のない開放出入口が設けられている。天井部の上部には、喫煙空間内の空気を清浄化して室外に排出するための空気清浄化設備を収納する収納部が設けられている。収納部は喫煙空間を形成する骨材を上方に延長して形成され、収納した空気清浄化設備が外部より視認できないように、外部と遮蔽するランマ化粧板が挿着されている。
【０００４】
また、別の喫煙ブースとして、例えば特許文献２に記載されたものも知られている。すなわち、喫煙ボックスは、喫煙空間が壁部および天井板によって非喫煙空間から隔離されると共に、負圧手段（換気扇や空気清浄機等）によって煙が吸い出され、内部が負圧状態に保持される。この喫煙ボックスには、喫煙空間へ出入りをするための通路となる連絡空間が形成されている。
【０００５】
前記連絡空間は、壁部と、内部仕切りと、天井板と、第一遮蔽手段と、第二遮蔽手段によって囲まれており、喫煙者が非喫煙空間から喫煙空間へ入るためには、第二遮蔽手段を開けて一旦、連絡空間に入り、その後で第一遮蔽手段を開けて喫煙空間へ入る必要がある。また、特許文献２の図１には、喫煙空間を内部仕切り壁によって一人用と二人用に区画して仕切っていることが記載されている。
【先行技術文献】
【特許文献】
【０００６】
【特許文献１】実用新案登録第３１５５８７６号公報
【特許文献２】特開２００６−３２８８４２号公報
【考案の概要】
【考案が解決しようとする課題】
【０００７】
しかしながら、上記の特許文献１に記載のように、喫煙室に喫煙者間の空間を仕切るものが何もない場合には、他の喫煙者の煙や飛沫等との接触を防止することができないという問題があった。
【０００８】
また、上記の特許文献２に記載のように、喫煙ボックスに床から天井の間に隙間なく内部仕切り壁を設けて喫煙区画を設けたものでは、換気扇や空気清浄機による換気時の空気の流れも内部仕切り壁によって遮断されるため、換気効率が妨げられるという問題があった。
【０００９】
さらに、特許文献２に記載の喫煙ボックスでは、内部仕切り壁で仕切られる喫煙区画ごとにブロアや換気扇、空気清浄機を設置して飛沫や煙の排気の効率を上げたり、火災対応装置（火災報知器・スプリンクラー）も区画ごとに設けて安全性を確保することが考えられ、その場合、設置費用の負担が大きくなるという問題もある。
【００１０】
本考案は、このような問題点に着目してなされたものであり、喫煙者間の空間を仕切って飛沫感染を防止しても、煙や飛沫を効率よく外部に排気することが可能であり、しかも、排気や火災対応のための装置の設置費用を軽減することが可能な喫煙ブースおよび間仕切りユニットを提供することを目的とする。
【課題を解決するための手段】
【００１１】
上記の目的を達成するため、本考案の一態様は、
外部から区画された喫煙空間内に、利用者間の空間を仕切り可能な間仕切りユニットを備えた喫煙ブースにおいて、
前記喫煙空間の天井部と前記間仕切りユニットとの間に、空間を仕切らない開口を設けたことを特徴とする。
【図面の簡単な説明】
【００１２】
【図１】第１実施形態に係る喫煙ブースの全体を示す斜視図である。
【図２】第１実施形態に係る喫煙ブースの上面壁を下方から見た斜視図である。
【図３】第１実施形態に係る喫煙ブースの上面壁を上方から見た斜視図である。
【図４】第１実施形態に係る喫煙ブース内の喫煙空間を示す斜視図である。
【図５】第１実施形態に係る間仕切りユニットを示す斜視図である。
【図６】第１実施形態に係る喫煙ブースにおける利用者の移動を示す説明図である。
【図７】第２実施形態に係る喫煙ブースの全体を示す斜視図である。
【図８】第２実施形態に係る間仕切りユニットを示す斜視図である。
【考案を実施するための形態】
【００１３】
以下、図面に基づき本考案を代表する実施形態を説明する。
実施形態に係る喫煙ブース１０は、外部から区画された喫煙空間内に、利用者（主に喫煙者）間を間仕切り可能な間仕切りユニット３０を備えている。なお、各図面において、各構成要素の相対的な寸法関係や形状等は、適宜設計変更されるものであり実際のものとは異なる場合がある。
【００１４】
［第１実施形態］
図１は、第１実施形態に係る喫煙ブース１０の全体を示す斜視図であり、同図（ａ）は、出入口１２ａを閉鎖した状態を示し、同図（ｂ）は、出入口１２ａを開放した状態を示している。図２は、上面壁１３を下方から見た斜視図であり、同図（ａ）は、点検口１３ａを閉鎖した状態を示し、同図（ｂ）は、点検口１３ａを開放した状態を示している。図３は、上面壁１３を上方から見た斜視図であり、同図（ａ）は、上面壁１３を上方かつ前方から見た角度で示し、同図（ｂ）は、上面壁１３を上方かつ後方から見た角度で示している。
【００１５】
＜喫煙ブース１０の概要＞
図１に示すように、喫煙ブース１０は、床部１１に設置される直方体に形成され、その内部に複数の利用者（例えば３人）が喫煙できる大きさの喫煙空間を備えている。喫煙ブース１０は、喫煙空間の四方を囲む周面壁１２として、長手方向に平行な正面壁および背面壁と、短手方向に平行な両側面壁とを備え、平面視で長方形を成している。
【００１６】
喫煙ブース１０の底面側は、開口した状態で床部１１に設置されている。このように、本実施形態で床部１１は、喫煙ブース１０を設置する例えば遊技店等の施設内のフロア面のうち外部から区画された領域に相当するが、床部１１を例えば床面板等によってフロア面上に敷設するように構成しても良い。
【００１７】
喫煙ブース１０の周面壁１２の上側には、上面壁１３を含む天井部１４が設けられている。喫煙ブース１０内の喫煙空間は、床部１１と周面壁１２および上面壁１３によって外部から区画されている。なお、周面壁１２は、例えば強化ガラスやポリカーボネート等の樹脂製の板材により構成され、各面壁間の端縁同士をつなぐ支柱や梁は、例えば金属製のフレームにより構成されている。
【００１８】
周面壁１２のうち正面壁の中央には、喫煙ブース１０内の喫煙空間に利用者が出入りするための出入口１２ａが開設されている。出入口１２ａには、開閉可能な扉１２ｂが設けられている。ここで扉１２ｂは、例えばフレームの枠組みに板材を嵌めたスライド式の引き戸であり、開いた扉１２ｂが自重や空圧等で自閉する半自動式、あるいは完全に手動式に構成しても良い。なお、喫煙空間を後述する排気ファン１５によって常時負圧とすることで、出入口１２ａに扉１２ｂを設けずに開放状態とすることも考えられる。
【００１９】
天井部１４は、上面壁１３を底面とする底浅な直方体に形成され、その内部に、排気ファン１５や排気ダクト１６等が収納されている。図２に示すように、上面壁１３には、排気ファン１５の点検口１３ａが開設されている。点検口１３ａには、点検扉１３ｂが一端縁を回動中心として下方へ開閉可能に取り付けられている。点検扉１３ｂの一部の領域には、数多の孔が穿設されて吸込部１３ｃとして形成されている。なお、点検扉１３ｂの内側には、吸込部１３ｃから吸い込まれた空気を濾過するフィルタを着脱自在に設けると良い。
【００２０】
図３に示すように、上面壁１３の上側には、前記点検口１３ａ（図２参照）に連通する位置に排気ファン１５が配設されている。排気ファン１５は、直方体のケーシング１５ａの内部に、図示省略したファンと、ファンを回転駆動するモータ１５ｂ等を有してなる。ケーシング１５ａの底面側は開口しており、吸込部１３ｃ（図２参照）に対向するように配置されている。ここで排気ファン１５は、本考案の「排気装置」の一例である。なお、排気装置として、他に例えばブロア（送風機）、換気扇、空気清浄機等を設けても良い。
【００２１】
図３（ｂ）に示すように、ケーシング１５ａの一側面には、図１に示した円筒形の排気ダクト１６の基端口を接続する取付口１５ｃが開設されている。排気ダクト１６の先端口は、天井部１４の周面壁より外部に開口している。また、排気ファン１５の傍らには、制御部２０が配設されている。制御部２０は、排気ファン１５の駆動を制御する制御基板等を備えている。なお、排気ファン１５には、制御部２０からの信号を受信するためのアンテナ１５ｄが取り付けられている。
【００２２】
図２に示すように、上面壁１３の下側には、人感センサ２１が設けられている。人感センサ２１は、喫煙ブース１０内の喫煙空間における利用者の有無を検知可能なものである。人感センサの種類は、特に限定されるものではなく、既存のものを採用することができ、具体的には例えば、赤外線、超音波、可視光等により検知する構成が採用される。人感センサ２１からの信号に基づいて、制御部２０により排気ファン１５の駆動を制御するように構成すると良い。なお、人感センサ２１にサーモパイル型センサを採用した場合、喫煙空間における利用者の人数まで検知することが可能となる。
【００２３】
また、図示省略したが、天井部１４（上面壁１３の上側）には、火災対応装置を設けても良い。ここで火災対応装置とは、例えば火災報知器、火災通報装置、それにスプリンクラー等が相当する。火災対応装置を設ける場合には、例えば上面壁１３の上側において、人感センサ２１の傍ら等の天井部１４の中央付近に設置すると良い。火災報知器からの信号に基づいて、制御部２０により火災の報知を制御するように構成すると良い。
【００２４】
＜間仕切りユニット３０について＞
図４は、第１実施形態に係る喫煙ブース１０内の喫煙空間を示す斜視図であり、同図（ａ）は、出入口１２ａを閉鎖した状態を示し、同図（ｂ）は、出入口１２ａを開放した状態を示している。図５は、第１実施形態に係る間仕切りユニット３０を示す斜視図である。図６は、喫煙ブース１０における利用者の移動を示す説明図である。
【００２５】
図４に示すように、喫煙ブース１０内の喫煙空間には、喫煙する利用者間を間仕切り可能な間仕切りユニット３０が設けられている。間仕切りユニット３０は、喫煙空間に後から設置することが可能な別体のユニットとして構成されている。本実施形態では、喫煙空間は平面視で左右に長い長方形であり、喫煙空間を左右方向に３つの空間（以下「区画」）に等間隔で分けるように、左右に並ぶ２つの間仕切りユニット３０が設けられている。間仕切りユニット３０は、所定幅で上下方向に延びるように構成されており、喫煙空間で床部１１と天井部１４（図１参照）との間に固定される。
【００２６】
図５に示すように、間仕切りユニット３０は、床部１１に立設される一対の支持部材３１，３１と、両支持部材３１，３１の間に設けられた仕切り板３４と、を備えている。支持部材３１は、例えばアルミ等の金属製で上下方向へ直線上に延びる支柱状のフレームから構成されている。支持部材３１は、より具体的には、所定外径の円形断面のパイプ材を任意の長さに加工すると良い。ここで所定外径は、例えば２０ｍｍ等と適宜定め得る設計事項である。支持部材３１の長さは、喫煙空間の天井高に合わせた間仕切りユニット３０の全長にほぼ相当するものであり、例えば２４００ｍｍ等と適宜設定される。
【００２７】
仕切り板３４は、例えばポリカーボネート等の樹脂製で平面状に広がるパネルから構成されている。仕切り板３４は、より具体的には、所定厚のパネルを一対の支持部材３１，３１間の長さに相当する横幅で、所定の縦幅の長方形に加工すると良い。仕切り板３４の材質の色は、視認性の観点からは無色透明が適するが、これに限定されるものではない。仕切り板３４の所定厚は、例えば３ｔ（ｍｍ）等と適宜定め得る設計事項である。仕切り板３４の横幅は、一対の支持部材３１，３１間の距離にほぼ相当するが、この距離は、喫煙空間を仕切る間仕切りユニット３０全体の所定幅に応じて適宜定められる。
【００２８】
図６に示すように、本実施形態では、喫煙空間の奥行方向（図６の紙面上では上下方向）の中心Ａより、間仕切りユニット３０の所定幅は相対的に小さく設定されており、利用者Ｂが喫煙空間を移動しやすい。また、設置する遊技店等の施設の要望に応じて、間仕切りユニット３０の所定幅を、喫煙空間の奥行方向の中心Ａより大きくすることもできる。この場合、利用者Ｂ間の直接の煙や飛沫を防止する効果が大きくなる。なお、間仕切りユニット３０は、その所定幅が例えば３５０ｍｍ、４５０ｍｍ等と予め複数のバリエーションを用意すると良い。
【００２９】
仕切り板３４の縦幅は、一対の支持部材３１，３１間において、仕切り板３４の上端より上側を「開口」として定めた位置から下方に向かって、どの程度まで利用者間の空間を仕切るかに応じて適宜定められる。このように、間仕切りユニット３０と天井部１４との間には、空間を仕切らない開口が設けられている。また、本実施形態では、間仕切りユニット３０と床部１１との間にも、空間を仕切らない開口が設けられている。以下、間仕切りユニット３０の上側における開口を「上部開口３５」とし、間仕切りユニット３０の下側における開口を「下部開口３６」とする。
【００３０】
図５に示すように、一対の支持部材３１，３１間で仕切り板３４の上端縁に合致する位置には、各支持部材３１，３１間に渡る上側杆３２が架設されている。同様に、仕切り板３４の下端縁に合致する位置にも、各支持部材３１，３１間に渡る下側杆３３が架設されている。ここで一対の支持部材３１，３１間において、上側杆３２より上側に位置するいわゆるランマ（欄間）が上部開口３５に相当し、下側杆３３より下側に位置するいわゆるランマ（欄間）が下部開口３６に相当する。なお、上部開口３５および下部開口３６の上下方向の寸法、言い換えれば仕切り板３４の縦幅は、例えば利用者の平均的な身長から飛沫感染の経路となる口や鼻の高さを考慮して適宜定めると良い。
【００３１】
また、支持部材３１の下端には、図示省略したが、例えば樹脂製でキャップ状の下部カバーが装着され、下部カバーの下端面には床部１１に固定する固定金具が設けられている。ここで固定金具は、例えばネジ状で高さ調整可能なジャッキの下端に、床部１１に当接するプレートを取り付けて構成されている。同様に、支持部材３１の上端にも、上部カバーと、上面壁１３に固定する固定金具を設けると良い。なお、一対の支持部材３１，３１間における仕切り板３４の取り付けは、図示省略したが、例えば各支持部材３１が対向し合う側に、それぞれ長手方向に延びて仕切り板３４の両側端を嵌め込み可能な縦凹溝を設けると良い。
【００３２】
＜喫煙ブース１０のその他＞
図６に示すように、間仕切りユニット３０によって喫煙空間は、本実施形態では平面視で３つ領域に区画されている。各区画は、それぞれ扉１２ｂがある正面壁側に向かって開放されている。各区画を仕切る間仕切りユニット３０においても、その上側は上部開口３５として空間を仕切らず、同様に下側も下部開口３６として空間を仕切っていない。喫煙空間において、平面視で間仕切りユニット３０によって区画されていない領域、すなわち図６（ａ）で喫煙空間の奥行方向の中心Ａより正面壁側の領域は、各区画への通路となる。
【００３３】
また、喫煙空間の各区画ごとに、灰皿１７が設置されている。さらに、図示省略したが、喫煙空間の各区画ごとに、使用者が凭れ掛かれるようなバー状等の簡易な構成の椅子を設置しても良い。なお、前述したが各区画を仕切る間仕切りユニット３０は、所定幅が異なる複数のバリエーションを用意すると良く、その選択により区画の大きさを適宜変えることができる。
【００３４】
＜喫煙ブース１０の使用について＞
次に、第１実施形態に係る喫煙ブース１０の使用について説明する。
第１実施形態に係る喫煙ブース１０によれば、前述した構成により、例えば遊技店等の施設において、壁際の空きスペースを利用して簡単に設置することが可能である。従って、施設内の既存の設備を変更工事することなく、容易に喫煙のスペースを提供することができる。これにより、タバコを吸わない人の受動喫煙を防止することが可能となる。
【００３５】
図４に示すように、喫煙ブース１０内の喫煙空間は、間仕切りユニット３０によって利用者（主に喫煙者）ごとの区画に仕切られている。ここで間仕切りユニット３０は、喫煙ブース１０自体の構成要素（例えば周面壁１２等）とは別体であるから、既存の喫煙ブース１０にも容易に設置することが可能となる。また、喫煙ブース１０の組み立てが複雑にならず容易となる。さらに、間仕切りユニット３０の配置に自由度があり、後から容易に変更することも可能となる。
【００３６】
このような喫煙ブース１０と間仕切りユニット３０とは、必ずしも製造元・発売元・販売元が同じ製品である必要はない。すなわち、喫煙ブース１０と間仕切りユニット３０とは、それぞれ異なる会社の製品であっても対応可能であり、製品間の組み合わせの自由度も高くなる。
【００３７】
図５に示すように、間仕切りユニット３０が、一対の支持部材３１，３１と、両支持部材３１，３１の間に設けられた仕切り板３４と、を備えて成る場合には、間仕切りユニット３０の構成は簡易であり、容易に組み立てることが可能となる。また、間仕切りユニット３０を喫煙ブース１０に設置するには、各支持部材３１の上下端を、それぞれ喫煙空間の床部１１と天井部１４とに固定すれば良い。ここで各支持部材３１の上下端に図示省略した固定金具がある場合は、全高寸法の誤差にも対応可能であり、容易に取り付けないし取り外しすることもできる。
【００３８】
このような間仕切りユニット３０によって、喫煙空間を利用者ごとの区画に仕切ることにより、喫煙ブース１０内の利用者間における飛沫防止対策を行うことが可能となる。また、喫煙ブース１０内における利用者のプライベート空間を確保することが可能となる。図６に示すように、本実施形態における間仕切りユニット３０の配置によれば、喫煙スペースを均等化することが可能となる。また、利用者Ｂごとの区画は、それぞれ正面壁側に向かって開放されているので、喫煙空間の奥行方向の中心Ａより正面壁側の通路から各区画へアクセスしやすい。
【００３９】
図６（ａ）は、間仕切りユニット３０で仕切られた３つの区画のうち、左右両端の区画には利用者Ｂがおり、真ん中の区画は空いている状態を示している。図６（ｂ）は、喫煙ブース１０の利用者Ｂが出入口１２ａの扉１２ｂを開けて喫煙空間に入ろうとしている状態を示している。図６（ｃ）は、喫煙ブース１０の利用者Ｂが喫煙空間に入った時の移動の推移を示している。なお、前述したが、喫煙空間の奥行方向の中心Ａより、間仕切りユニット３０の所定幅を相対的に小さくすれば、利用者Ｂは喫煙空間を移動しやすくなる。逆に、間仕切りユニット３０の所定幅を相対的に大きくすれば、利用者Ｂ間の直接の煙や飛沫を防止する効果が大きくなる。
【００４０】
そして、図５に示すように、喫煙ブース１０の天井部１４と間仕切りユニット３０との間には上部開口３５があるので、飛沫が余り届かない喫煙空間の天井付近では、間仕切りユニット３０の設置に関わらず、空間が完全に仕切られることなく一連の空気の流れが可能となる。同様に、喫煙ブース１０の床部１１と間仕切りユニット３０との間には下部開口３６があるので、飛沫が余り届かない喫煙空間の床面付近でも、一連の空気の流れが可能となる。
【００４１】
これにより、喫煙空間の排気装置（例えば排気ファン１５、ブロア、換気扇、空気清浄機等）および火災対応装置（例えば火災報知器・スプリンクラー等）を各区画ごとに設ける必要はなく、一カ所に設ければ足りる。そのため、喫煙ブース１０の費用について、特に排気装置や火災対応装置等の付帯設備に関しては軽減することが可能となり、これらの付帯設備の取り付けも含めた喫煙ブース１０の設置が容易となる。
【００４２】
図１において、喫煙ブース１０の通常の使用時には、天井部１４にある排気ファン１５が作動して、喫煙ブース１０内の喫煙空間に漂うタバコの煙は、空気と一緒に上面壁１３にある吸込部１３ｃから吸い込まれる。排気ファン１５によって吸い込まれた空気や煙は、排気ダクト１６を通して喫煙ブース１０の外部に排出される。喫煙ブース１０内の喫煙空間では、全体的に空気が上面壁１３の吸込部１３ｃに向かうように気流が生じている。
【００４３】
排気ファン１５は常時作動させても良いが、人感センサ２１によって利用者を検知している時だけ駆動するようにして、利用者がいない時は駆動しないように制御しても良い。あるいは、人感センサ２１によって利用者が検知された場合に、排気ファン１５の回転数を上げるように制御しても良い。なお、喫煙ブース１０には照明を設けても良い。ここで照明は、制御部２０による排気ファン１５の制御と同様に、人感センサ２１によって点灯ないし消灯を制御すると良い。
【００４４】
［第２実施形態］
図７は、第２実施形態に係る喫煙ブース１０Ａの全体を示す斜視図であり、同図（ａ）は、各出入口１２ｃを閉鎖した状態を示し、同図（ｂ）は、各出入口１２ｃを開放した状態を示している。図８は、第２実施形態に係る間仕切りユニット３０Ａを示す斜視図である。なお、第１実施形態と同種の部位については、同一符号を付し重複した説明を省略する。また、図７では、上面壁１３を含む天井部１４を図示省略している。
【００４５】
＜喫煙ブース１０Ａの概要＞
図７に示すように、喫煙ブース１０Ａは、基本的には第１実施形態の喫煙ブース１０と同様な構成であるが、周面壁１２のうち正面壁には、間仕切りユニット３０Ａで仕切られた各区画ごとに出入口１２ｃと扉１２ｄが設けられている。ここで正面壁には、左右方向に並ぶ支柱１８が設けられ、各扉１２ｄは、それぞれ支柱１８に対して一側縁が揺動可能に支持され、前方へ開けるように構成されている。なお、各扉１２ｄは、例えばフレームの枠組みに板材を嵌めて構成されている。
【００４６】
＜間仕切りユニット３０Ａについて＞
図８に示すように、間仕切りユニット３０Ａは、基本的には第１実施形態の間仕切りユニット３０と同様な構成である。すなわち、間仕切りユニット３０Ａは、一対の支持部材３１Ａ，３１Ａと、両支持部材３１，３１の間に設けられた仕切り板３４と、を備え、上側には上部開口３５が設けられ、下側には下部開口３６が設けられている。
【００４７】
図７に示すように、間仕切りユニット３０Ａの所定幅は、喫煙空間の奥行方向の途中までの大きさではなく、奥行方向の全長に亘る寸法に設定されている。すなわち、間仕切りユニット３０Ａは、喫煙空間の平面視で正面壁と背面壁とに亘って空間を仕切る所定幅に構成されている。本実施形態の喫煙空間は、２つの間仕切りユニット３０Ａによって３人分の区画に仕切られている。
【００４８】
詳しく言えば、間仕切りユニット３０Ａの各支持部材３１Ａは、周面壁１２のうち正面壁および背面壁のそれぞれの途中を支えるフレームを兼ねるように構成されている。また、一対の支持部材３１Ａ，３１Ａの上端間には、上面壁１３（図１参照）に当接する上端杆３７が架設されている。さらに、一対の支持部材３１Ａ，３１Ａの下端間には、床部１１（図７参照）に当接する下端杆３８が架設されている。なお、間仕切りユニット３０Ａでは、仕切り板３４の上下端に接する上側杆３２と下側杆３３は省いている。
【００４９】
＜喫煙ブース１０Ａの使用について＞
次に、第２実施形態に係る喫煙ブース１０Ａの使用について説明する。
第２実施形態に係る喫煙ブース１０Ａによれば、前述した構成により、喫煙空間は３人分の区画に仕切られており、使用者ごとのパーソナルスペースを確保することが可能となり、いっそうプライベート感を高めることができる。ここで喫煙ブース１０Ａに、前述した第１実施形態と同様な排気装置や火災対応装置が備わる場合には、これらを各利用者ごとに共有する１人用の喫煙空間の確保が可能になる。
【００５０】
［本考案の構成と作用効果］
以上、本考案の各種実施形態について説明したが、本考案は前述した各種実施形態に限定されるものではない。前述した各種実施形態から導かれる本考案について、以下に説明する。
【００５１】
［１］先ず、本考案は、
外部から区画された喫煙空間内に、利用者間を間仕切り可能な間仕切りユニット３０，３０Ａを備えた喫煙ブース１０，１０Ａにおいて、
前記喫煙空間の天井部１４と前記間仕切りユニット３０，３０Ａとの間に、空間を仕切らない開口３５を設けたことを特徴とする。
【００５２】
このように、喫煙ブース１０，１０Ａの天井部１４と間仕切りユニット３０，３０Ａとの間に開口３５があるので、飛沫が余り届かない喫煙空間の天井付近では、間仕切りユニット３０，３０Ａの設置に関わらず、空間が仕切られることがなく一連の空気の流れが可能となる。
【００５３】
これにより、喫煙空間の排気装置（例えば排気ファン１５、ブロア、換気扇、空気清浄機等）および火災対応装置（例えば火災報知器・スプリンクラー等）を各区画ごとに設ける必要はなく、一カ所に設ければ足りる。そのため、喫煙ブース１０，１０Ａの費用について軽減でき、喫煙ブース１０，１０Ａの設置も容易となる。
【００５４】
［２］また、本考案では、
前記間仕切りユニット３０，３０Ａは、前記喫煙空間の床部１１に立設される一対の支持部材３１，３１と、両支持部材３１，３１の間に設けられた仕切り板３４と、を備えたことを特徴とする。
【００５５】
これにより、間仕切りユニット３０，３０Ａは、簡易に構成することができ、容易に組み立てることが可能となる。
【００５６】
［３］また、本考案では、
前記喫煙空間の床部１１と前記間仕切りユニット３０，３０Ａとの間に、空間を仕切らない開口３６を設けたことを特徴とする。
【００５７】
これにより、間仕切りユニット３０，３０Ａの下方でも、空間が仕切られることがなく一連の空気の流れが可能となる。従って、喫煙空間における飛沫や煙の排気効率や火災対応装置の作動効率を良くすることが可能となる。
【００５８】
［４］また、本考案では、
前記間仕切りユニット３０，３０Ａは、前記喫煙ブース１０，１０Ａとは別体であることを特徴とする。
ここで別体であるとは、間仕切りユニット３０，３０Ａが、喫煙ブース１０，１０Ａ自体の主な構成要素、すなわち喫煙空間を外部から区画する周面壁１２等とは独立に構成されていることを意味する。
【００５９】
これにより、間仕切りユニット３０，３０Ａを既存の喫煙ブース１０，１０Ａにも容易に設置することが可能となる。また、喫煙ブース１０，１０Ａの組み立てが複雑にならず容易となる。さらに、間仕切りユニット３０，３０Ａの配置に自由度があり、後から容易に変更することも可能となる。
【００６０】
［５］また、本考案では、
前記天井部１４に排気装置を設けたことを特徴とする。ここで排気装置とは、例えば排気ファン１５、ブロア、換気扇、空気清浄機等が該当する。
【００６１】
これにより、喫煙ブース１０，１０Ａ内の喫煙空間の空気を清浄化することが可能となる。なお、排気装置の製造や喫煙ブースへの施工には、専門の設備や技術が必要となるが、間仕切りユニット３０，３０Ａの製造や設置は、異なる会社でも対応可能である。
【００６２】
［６］また、本考案では、
前記天井部１４に火災対応装置を設けたことを特徴とする。ここで火災対応装置とは、例えば火災報知器、スプリンクラー等が相当する。
【００６３】
これにより、喫煙ブース１０，１０Ａにおいて火災が発生した場合に安全に対応することが可能となる。なお、排気装置の製造や喫煙ブースへの施工には、専門の設備や技術が必要となるが、間仕切りユニット３０，３０Ａの製造や設置は、異なる会社でも対応可能である。
【００６４】
［７］また、本考案では、
前記喫煙ブース１０Ａは、間仕切りユニット３０Ａにより仕切られた区画ごとに、利用者の出入口を開閉可能な扉を備えることを特徴とする。
【００６５】
これにより、使用者ごとのパーソナルスペースを確保することが可能となり、いっそうプライベート感を高めることができる。なお、喫煙ブース１０Ａに排気装置や火災対応装置が備わる場合には、これらを各利用者ごとに共有する１人用ブースの確保が可能になる。
【００６６】
［８］また、本考案は、前述した間仕切りユニット３０，３０Ａである。
このように、間仕切りユニット３０，３０Ａは、喫煙ブース１０，１０Ａとは別に独立して前述した特徴を有する製品となる。従って、間仕切りユニット３０，３０Ａと喫煙ブース１０，１０Ａとの製造元・発売元・販売元等の組み合わせの自由度が高くなる。
【００６７】
以上、本考案の実施の形態を図面によって説明してきたが、具体的な構成はこれらの実施の形態に限られるものではなく、本考案の要旨を逸脱しない範囲における変更や追加があっても本考案に含まれる。例えば、喫煙ブース１０，１０Ａを設置する施設は、遊技店に限定されることはなく、他に例えば、公共または私設に限らず様々な施設等に設置することができる。
【００６８】
また、前記天井部１４は、必ずしも喫煙空間の上面側を覆う喫煙ブース１０自体の構成に限らず、例えば喫煙空間の四方を囲む周面壁１２が遊技店等の設置施設の天井まで届く場合、この天井をそのまま喫煙空間の天井部としても構わない。この場合、排気装置や火災対応装置は、周面壁１２の上側に設けるか、省略することになる。
【００６９】
さらに、前記間仕切りユニット３０は、喫煙空間の床部１１と天井部１４との間に突っ張らせた状態で固定されるが、他に例えば、一対の支持部材３１，３１を床部１１に自立させることが可能なベース構造を備える場合は、各支持部材３１の上端を上面壁１３に必ずしも当接させる必要はない。
【産業上の利用可能性】
【００７０】
本考案に係る喫煙ブースおよび間仕切りユニットは、遊技店に限らず様々な施設等において広く適用することができる。
【符号の説明】
【００７１】
１０，１０Ａ…喫煙ブース
１１…床部
１２…周面壁
１２ａ，１２ｃ…出入口
１２ｂ，１２ｄ…扉
１３…上面壁
１４…天井部
１５…排気ファン
１６…排気ダクト
１７…灰皿
２０…制御部
３０，３０Ａ…間仕切りユニット
３１，３１Ａ…支持部材
３２…上側杆
３３…下側杆
３４…仕切り板
３５…上部開口
３６…下部開口
【図１】
0003231402.tif 000003
【図２】
0003231402.tif 000004
【図３】
0003231402.tif 000005
【図４】
0003231402.tif 000006
【図５】
0003231402.tif 000007
【図６】
0003231402.tif 000008
【図７】
0003231402.tif 000009
【図８】
0003231402.tif 000010
【手続補正書】
【提出日】令和3年1月19日(2021.1.19)
【手続補正１】
【補正対象書類名】実用新案登録請求の範囲
【補正対象項目名】請求項８
【補正方法】変更
【補正の内容】
【請求項８】
請求項２に記載した間仕切りユニット。